(57)【要約】【課題】シート類を損傷することなく壁面へのシート類の保持と取り外しが容易であり、安価に製作できると共に、外観の良好なシート類保持具を提供する。【解決手段】１乃至複数のボール２と、ボール２を転動自在に収納すると共に、開口部３を広げるように一側壁が傾斜壁４に形成された溝５が形成された収納体６と、溝５の開口部３が形成された収納体６の開口側面７を他物体の壁面２１に所定間隙離反させて取付けるべく、開口側面７の所定個所に設けられる間隙部材８とを備えたシート類保持具１を提供する。収納体６の溝５内にボール２を収納し、ボール２が自重で傾斜壁４上を転動するように、且つ、開口側面７の下半部と他物体の壁面２１との間に隙間２２が形成されるように、間隙部材８を挟む如く収納体６を他物体の壁面２１に取付け、隙間２２にシート類２３を挿入すると、シート類２３が、転動するボール２と他物体の壁面２１とに挟持されて保持される。【選択図】図３
2011251457.tif 000002
【特許請求の範囲】
【請求項１】
１乃至複数のボールと、
前記ボールを転動自在に収納すると共に、開口部を広げるように一側壁が傾斜壁に形成された所定長さの溝が形成された収納体と、
前記溝の開口部が形成された前記収納体の側面である開口側面を他物体の壁面に所定間隙離反させて取付けるべく、前記開口側面の所定個所に設けられる間隙部材とを備え、
前記収納体に前記ボールを収納し、前記ボールが自重で前記傾斜壁上を転動するように、且つ、前記開口側面の少なくとも下半部と前記他物体の壁面との間に所定の隙間が形成されるように、前記間隙部材を挟む如く前記収納体を前記他物体の壁面に取付け、
前記隙間にシート類を挿入すると、前記シート類が、前記傾斜壁を転動する前記ボールと前記他物体の壁面とに挟持されて保持されるように構成されたことを特徴とするシート類保持具。
【請求項２】
前記収納体は、直方体であることを特徴とする請求項１記載のシート類保持具。
【請求項３】
前記溝の底部には、前記ボールを離脱させない所定幅に形成される所定長さの長孔が前記収納体表面まで貫通して開穿されていることを特徴とする請求項１又は２記載のシート類保持具。
【請求項４】
前記間隙部材は、前記溝の開口部から前記ボールが離脱しないように、前記開口部の一部を所定幅で覆うように配設され、前記間隙部材の所定部位に、前記ボールの出し入れを行うべく所定の大きさに開口させたボール出し入れ部が形成されていることを特徴とする請求項１乃至３のうちいずれか一に記載のシート類保持具。
【発明の詳細な説明】
【技術分野】
【０００１】
本発明は、シート類を壁面に容易に保持させることができると共に、取り外しも容易なシート類保持具に関する。
【背景技術】
【０００２】
従来、メモ、伝票、予定表、用紙、印刷物等の紙や、樹脂シート、布シート等のシート類（以下、「シート類」という。）を壁面に保持させることができ、取り外しもできるシート類保持具は、数多く知られている。
【０００３】
先行文献としては、例えば特許文献１があり、特許文献１は揺動自在の転動体と、転動体の後方に設けられ、壁面に取付けられる後板部との間にメモ用紙を押し上げると、転動体が揺動して、転動体と後板部の間にメモ用紙が挟持されるメモ用紙クリップが記載されている。
また、先行文献として、特許文献２があり、特許文献２はＬ型板部とＬ型板部の左右の支持部とが形成する屋根型の覆いと、平板部とに挟まれた内側の空間に複数のボールが入れられた薄物挟持具が記載されている。ボールと平板部との間に薄物を差し入れると薄物は挟持される。
【先行技術文献】
【特許文献】
【０００４】
【特許文献１】特開平９−１９７６号公報
【特許文献２】特許第３６８２７００号公報
【発明の概要】
【発明が解決しようとする課題】
【０００５】
前述したように、シート類を壁面に保持させることができ、取り外しもできるシート類保持具は、数多く知られている。
然しながら、シート類を傷つけることなく、シート類の保持と取り外しが容易であり、安価に製作できると共に、外観が良好であるという全ての条件を満たすシート類保持具は存在しない。
例えば、前記特許文献１は、（１）構成が複雑であり、材料費や、製作上の手間がかかり、コスト高となる虞がある、（２）メモ用紙を取り外す時に、操作用前板部を一方の手で押すが、そのままではメモ用紙が落下するので、他方の手でメモ用紙を保持する必要があり、片手操作ができない、（３）転動体の揺動支点が、摩耗や劣化等により揺動を円滑に行なえなくなったり、破損したりする虞がある、等の問題がある。
特許文献２も、（１）構成がやや複雑でありコスト高となる虞があり、更に、（２）取付けた時、ボールを動かすことが出来ないことから挟持位置の調整ができない、即ち、うまく挟持できない虞がある、（３）挟持位置の調整ができないため、多数のボールを必要とする、（４）搬送時にボールを取り出せないのでボールの破損の虞がある、（５）薄物挟持具を壁面に取り付けた状態で、屋根型の覆いの尖った先端が利用者の方向に向いているので危険である、等の問題がある。
【０００６】
以上の現状に鑑み、本発明は、シート類を損傷することなく壁面へのシート類の保持と取り外しが容易であり、安価に製作できると共に、外観の良好なシート類保持具を提供することを目的とする。
【課題を解決するための手段】
【０００７】
上記の課題を解決すべく、本発明は以下の構成を提供する。
請求項１に係る発明は、１乃至複数のボールと、
前記ボールを転動自在に収納すると共に、開口部を広げるように一側壁が傾斜壁に形成された所定長さの溝が形成された収納体と、
前記溝の開口部が形成された前記収納体の側面である開口側面を他物体の壁面に所定間隙離反させて取付けるべく、前記開口側面の所定個所に設けられる間隙部材とを備え、
前記収納体に前記ボールを収納し、前記ボールが自重で前記傾斜壁上を転動するように、且つ、前記開口側面の少なくとも下半部と前記他物体の壁面との間に所定の隙間が形成されるように、前記間隙部材を挟む如く前記収納体を前記他物体の壁面に取付け、
前記隙間にシート類を挿入すると、前記シート類が、前記傾斜壁を転動する前記ボールと前記他物体の壁面とに挟持されて保持されるように構成されたことを特徴とするシート類保持具を提供するものである。
【０００８】
請求項２に係る発明は、前記収納体は、直方体であることを特徴とする請求項１記載のシート類保持具を提供するものである。
【０００９】
請求項３に係る発明は、前記溝の底部には、前記ボールを離脱させない所定幅に形成される所定長さの長孔が前記収納体表面まで貫通して開穿されていることを特徴とする請求項１又は２記載のシート類保持具を提供するものである。
【００１０】
請求項４に係る発明は、前記間隙部材は、前記溝の開口部から前記ボールが離脱しないように、前記開口部の一部を所定幅で覆うように配設され、前記間隙部材の所定部位に、前記ボールの出し入れを行うべく所定の大きさに開口させたボール出し入れ部が形成されていることを特徴とする請求項１乃至３のうちいずれか一に記載のシート類保持具を提供するものである。
【発明の効果】
【００１１】
本発明の請求項１記載の発明によれば、シート類を損傷することなく壁面へのシート類の保持と取り外しが容易であり、安価に製作できると共に、外観の良好なシート類保持具を提供することができる。
特に、本発明のシート類保持具は、取り外しの場合に、片手でシート類を把持して下方に引けば取り外しができるため、片手操作が可能である。
又、本発明のシート類保持具は、揺動支点等がないので、摩耗や、破損の虞がなく、耐久性がある。
【００１２】
請求項２記載の発明によれば、請求項１記載の発明の効果に加え、収納体は、直方体であるので、製作が容易であると共に、他物体の壁面への取付が容易であり、且つ、外観上もシンプルなデザインになる。
【００１３】
請求項３記載の発明によれば、請求項１又は２記載の発明の効果に加え、長孔が開穿されているので、収納体取付後に長孔からボールが見えることにより、ボールにビー玉等を用いた場合にボールの装飾的な効果を期待できると共に、ボールの位置が見えることにより、保持位置を確認でき、小さいシート類も確実に保持させることができると共に、長孔を通してボールを動かすことができ、ボールを動かすことにより、挟持位置を調整し、シート類を適正な位置に保持させることができる。
【００１４】
請求項４記載の発明によれば、請求項１乃至３のうちいずれか一に記載の発明の効果に加え、間隙部材が、開口部の一部を所定幅で覆うように配設されることにより、ボールが開口部から離脱しにくくなると共に、ボール出し入れ部からボールの出し入れを行うことができる。
また、ボールの出し入れが容易であるので、シート類保持具の搬送時に、ボールを取り出し、別包装して搬送でき、ボールの損傷を防止することができる。
【図面の簡単な説明】
【００１５】
【図１】（ａ）本発明のシート類保持具の正面図である。（ｂ）本発明のシート類保持具の側面図である。（ｃ）本発明のシート類保持具の背面図である。（ｄ）前図１（ａ）のＡ−Ａ線断面図である。
【図２】（ａ）本発明のシート類保持具を取付け、シート類を挿入する状態を示す正面図である。（ｂ）本発明のシート類保持具を取付け、シート類を挿入する状態を示す側面断面図である。
【図３】（ａ）本発明のシート類保持具にシート類を保持させた状態を示す正面図である。（ｂ）本発明のシート類保持具にシート類を保持させた状態を示す側面断面図である。
【発明を実施するための形態】
【００１６】
以下、実施例を示した図面を参照しつつ本発明の実施の形態を説明する。
図１に於いて、１は、メモ、伝票、予定表、用紙、印刷物等の紙や、樹脂シート、布シート等のシート類（以下、「シート類」という。）を壁面に保持させる、本発明によるシート類保持具を示し、シート類保持具１は、ビー玉等の複数のボール２，２…と、ボール２，２…を転動自在に収納すると共に、開口部３を広げるように、一側壁が傾斜壁４に形成された所定長さの溝５が形成された直方体の収納体６と、溝５の開口部３が形成された収納体６の側面である開口側面７を他物体の壁面（図２に於いて２１参照）に所定間隙離反させて取付けるべく、開口側面７の所定個所に設けられる間隙部材８とを備えている。
尚、前記壁面とは、略垂直なあらゆる面を含む。例えば、建物の壁面、扉面、窓面、物体の略垂直な側面等を含む。
又、前記複数のボール２，２…に代えて、１個のボール２とすることも可能である。
更に、前記収納体６は、好適には直方体として形成されるが、例えば、三角柱体、その他の多角柱体、又は、半円柱体、円柱体等の柱体であっても良く、又、柱体でなくても、少なくとも、ボールが収納される溝が形成されるものであれば、他の形状であっても良い。
【００１７】
そして、前記溝５の底部には、ボール２，２…を離脱させない所定幅に形成される所定長さの長孔９が収納体６表面まで貫通して開穿されている。
又、前記間隙部材８は、例えば板状体で形成され、開口側面７の所定個所、例えば、開口側面７が他物体の垂直壁面（図２に於いて２１参照）に所定間隙離反させて取付けられる時、開口部３の上方となる開口側面７の上部に取付けられ、且つ、溝５の開口部３からボール２，２…が離脱しないように、開口部３の一部である上部を所定幅で覆うように配設される。更に詳細には、間隙部材８は、幅方向が、開口部３の上部から開口側面７の上端に及び、長手方向が、収納体６の全長に及ぶ所定厚みの長尺板状に形成され、開口側面７の上部に取付けられる。そして、間隙部材８の所定部位、例えば、長手方向中央部の開口部３を覆う部分に、ボール２，２…の出し入れを行うべく所定の大きさに開口させたボール出し入れ部１０が形成される。
【００１８】
而して、シート類保持具１は、図２に示すように、他物体の壁面２１に取付けて用いられる。
シート類保持具１の取付方法を説明すると、まず収納体６にボール出し入れ部１０を介してボール２，２…を収納し、ボール２，２…が自重で傾斜壁４上を転動するように、且つ、開口側面７の少なくとも下半部と他物体の壁面２１との間に所定の隙間２２が形成されるように、間隙部材８を挟む如く収納体６を他物体の壁面２１に取付ける。
具体的な取付け方法としては、間隙部材８と他物体の壁面２１とを（１）接着材又は粘着材で接着させる、（２）磁石を用いて磁着させる、（３）シート類保持具１を他物体の壁面２１に釘等で固着させる等の方法が用いられるが、それ以外の取り付け方法を用いても良い。
収納体６を他物体の壁面２１に取付けると、前記ボール２，２…が自重で傾斜壁４上を開口部３側に転動し、ボール２，２…は、他物体の壁面２１に当接して停止する。
この状態で、ボール２，２…は自重により、他物体の壁面２１を夫々圧接している。
【００１９】
次に、前記シート類保持具１の使用方法を説明する。
図２に示す如く、前述の取付方法によりシート類保持具１を他物体の壁面２１に取付けた状態で、前記隙間２２にシート類２３を下方から挿入すると、シート類２３の上端部が、複数のボール２，２…を押しのけ、ボール２，２…は傾斜壁４を僅かに上方に転動してボール２，２…と他物体の壁面２１との間にシート類２３が入り込み、シート類２３が上昇動作を停止すると、ボール２，２…は、傾斜壁４を下方（開口部３側）へ転動し、シート類２３に当接して図３に示す如く停止する。
この状態で、ボール２，２…は自重により、シート類２３を夫々圧接し、シート類２３は、ボール２，２…と、他物体の壁面２１とに挟着されることにより保持される。
即ち、シート類２３は、上端を前記シート類保持具１に保持される。
前述したシート類２３を挿入する時、前記長孔９を通してボール２，２…の位置（図３に於いて左右位置）を確認できるので、適正な位置にシート類２３を挿入することができると共に、シート類２３を挿入する時、又は、シート類２３を挿入した後、長孔９を通してボール２，２…の位置（図３に於いて左右位置）を調整することが可能であり、それによってボール２，２…によるシート類２３の挟持位置を調整することができる。
【００２０】
シート類２３を取り出すときは、シート類２３のシート類保持具１よりも下方位置を両手、又は片手で把持して下方に引けば、ボール２，２…が転動、又は移動することにより、シート類２３はシート類保持具１の保持から外れ、取り出すことができる。
【符号の説明】
【００２１】
１  シート類保持具
２  ボール
３  開口部
４  傾斜壁
５  溝
６  収納体
７  開口側面
８  間隙部材
９  長孔
１０  ボール出し入れ部
２１  他物体の壁面
２２  隙間
２３  シート類
【図１】
2011251457.tif 000003
【図２】
2011251457.tif 000004
【図３】
2011251457.tif 000005